(57)【要約】【課題】本発明は、各突出磁極に差回するステータ巻線の渡り線の相間短絡を防止することである。【解決手段】本発明によるレゾルバステータ構造は、突出壁部(6)の内側で前記突出磁極(3)の外周に巻回されたステータ巻線(10)と、  前記各突出磁極(3)に対応する後方で、かつ、前記各突出壁部(6)の外面(22)に設けられた複数の段部(6b)からなる階段状部(21)と、  前記突出壁部(6)の外側に位置し、前記輪状絶縁カバー(4)に一体形成された輪状壁部(7)と、前記各階段状部(21)間に隙間(G)を介して前記輪状絶縁カバー(4)に一体に設けられ前記段部(6b)を有する中間用階段状部(30)と、を備え、一方の前記階段状部(21)の各段部(6b)に位置する各渡り線(10a)は、前記中間用階段状部(30)の各段部(6b)を経て他方の前記階段状部(21)に渡るようにした構成である。【選択図】図１
2018007379.tif 000002
【特許請求の範囲】
【請求項１】
所定角度間隔で内方へ向けて突出する複数の突出磁極(3)を有する輪状ステータ(1)と、前記輪状ステータ(1)の両面(1a,1b)に一体又は別体にて設けられた輪状絶縁カバー(4,4a)
と、前記輪状絶縁カバー(4,4a)に一体に突出して形成され前記各突出磁極(3)に対応した位置に形成されると共に、前記輪状ステータ(1)の軸方向(A)に沿って延設された突出壁部(6)と、
前記突出壁部(6)の内側で前記突出磁極(3)の外周に巻回されたステータ巻線(10)と、
前記各突出磁極(3)に対応する後方で、かつ、前記各突出壁部(6)の外面(22)に設けられた複数の段部(6b)からなる階段状部(21)と、
前記突出壁部(6)の外側に位置し、前記輪状絶縁カバー(4)に一体形成された輪状壁部(7)と、前記各階段状部(21)間に隙間(G)を介して前記輪状絶縁カバー(4)に一体に設けられ前記段部(6b)を有する中間用階段状部(30)と、を備え、一方の前記階段状部(21)の各段部(6b)に位置する各渡り線(10a)は、前記中間用階段状部(30)の各段部(6b)を経て他方の前記階段状部(21)に渡るように構成されていることを特徴とするレゾルバステータ構造。
【請求項２】
前記輪状壁部(7)の高さ(H)は、前記各段部(6b)のうちの最上段に位置する前記渡り線(10a)の外周面(10b)と同一であると共に、前記外周面(10b)は前記突出壁部(6)の上面(6a)よりも下であることを特徴とする請求項１記載のレゾルバステータ構造。
【発明の詳細な説明】
【技術分野】
【０００１】
本発明は、レゾルバステータ構造に関し、特に、各突出磁極の後方に対応して設けられた階段状部及び中間用階段状部の各段部を介して渡り線を取り付けるための新規な改良に関する。
【背景技術】
【０００２】
従来、用いられていたこの種のレゾルバステータ構造としては、特許文献１に開示された図５の構成、及び、一般に用いられている図４の構成を挙げることができる。
すなわち、図４の従来構成１において、符号１で示されるものは全体形状が輪状をなし積層された構成からなる輪状ステータであり、前記輪状ステータ１の内径側である内側２には、所定角度間隔で内方に向けて突出する突出磁極３が形成されている。
【０００３】
前記輪状ステータ１の一面１ａと他面１ｂには、一体成形又は別体にて設けられた輪状絶縁カバー４,４ａが形成されている。
前記各輪状絶縁カバー４,４ａには、前記内側２から外側２Ａに向けて、前記輪状ステータ１の軸方向Ａに沿って突出する耳部５、突出壁部６及び輪状壁部７が一体に成形されている。
前記耳部５と突出壁部６との間の内面８には、溝９が形成されており、前記溝９内には、励磁巻線と出力巻線とからなるステータ巻線１０が巻回して設けられている。
【０００４】
前記突出壁部６と輪状壁部７との間に形成された渡り線用の溝部９Ａ内には、前記ステータ巻線１０が前記各突出磁極３の前記各溝９内に巻回される時の渡り線１０ａが位置しており、前記渡り線１０ａは、前記渡り線用の溝部９Ａ内を経て次の突出磁極３の溝９に巻回されるように構成されている。
【０００５】
また、前述の特許文献１に開示された従来構成２は、図５に示されている。
尚、前述の図４と同一又は同等部分には同一符号を付して説明する。
すなわち、図５において符号１で示されるものは輪状ステータであり、前記輪状ステータ１の内側２には、所定角度間隔毎に内方に向けて突出する複数の突出磁極３が設けられている。
【０００６】
前記輪状ステータ１の一面１ａ及び他面１ｂには、一体成形又は別体にて成形された輪状絶縁カバー４が配設され、前記輪状絶縁カバー４には、前記各突出磁極３の外周を覆うための耳部５、前記各突出磁極３間に設けられ平面でみて弧状をなす突出壁部６及び輪状壁部７が設けられている。
【０００７】
前記突出壁部６の外面６ａには、複数の段部６ｂが形成されており、前記各突出磁極３の外周に巻回されたステータ巻線１０の渡り線１０ａは、前記突出壁部６の各段部６ｂを経て隣接する突出磁極３に渡ることができるように構成されている。
前記突出壁部６の幅Ｗは、前記各突出磁極３間に形成されたスロット１１の幅とほぼ同一であるように構成されている。
また、前記各突出磁極３に対応するその後方には、前記渡り線１０ａが外側にはみ出ることのないように板状の渡り板１２が設けられている。
【先行技術文献】
【特許文献】
【０００８】
【特許文献１】特開２００９−２６４８９２号公報
【発明の概要】
【発明が解決しようとする課題】
【０００９】
従来のレゾルバステータ構造は、以上のように構成されていたため、次のような課題が存在していた。
すなわち、図４の従来構成１においては、渡り線１０ａが渡り線用の溝部９Ａ内に置かれるため、各渡り線１０ａが互いに接触することになり、三相巻線の相間短絡が発生する恐れもあった。
【００１０】
また、図５に示す従来構成２においては、各突出磁極３間に三段状の突出壁部６と２個の板状の渡り板１２によって前記渡り線１０ａの保持を行っているが、各渡り板１２には、渡り線１０ａを案内するための段部等がないため、この各渡り板１２の部分で各渡り線１０ａが重合しやすく、三相短絡等の恐れがあった。
【００１１】
本発明は、以上のような課題を解決するためになされたもので、特に、各突出磁極の後方に設けられた階段状部の各段部を介して渡り線を取り付けるようにしたレゾルバステータ構造を胎教することを目的とする。
【課題を解決するための手段】
【００１２】
本発明によるレゾルバステータ構造は、所定角度間隔で内方へ向けて突出する複数の突出磁極を有する輪状ステータと、前記輪状ステータの両面に一体又は別体にて設けられた輪状絶縁カバーと、前記輪状絶縁カバーに一体に突出して形成され前記各突出磁極に対応した位置に形成されると共に、前記輪状ステータの軸方向に沿って延設された突出壁部と、前記突出壁部の内側で前記突出磁極の外周に巻回されたステータ巻線と、前記各突出磁極に対応する後方で、かつ、前記各突出壁部の外面に設けられた複数の段部からなる階段状部と、前記突出壁部の外側に位置し、前記輪状絶縁カバーに一体形成された輪状壁部と、前記各階段状部間に隙間を介して前記輪状絶縁カバーに一体に設けられ前記段部を有する中間用階段状部と、を備え、一方の前記階段状部の各段部に位置する各渡り線は、前記中間用階段状部の各段部を経て他方の前記階段状部に渡るようにした構成であり、また、
前記輪状壁部の高さは、前記各段部のうちの最上段に位置する前記渡り線の外周面と同一であると共に、前記外周面は前記突出壁部の上面よりも下である構成である。
【発明の効果】
【００１３】
本発明によるレゾルバステータ構造は、以上のように構成されているため、次のような効果を得ることができる。
すなわち、所定角度間隔で内方へ向けて突出する複数の突出磁極を有する輪状ステータと、前記輪状ステータの両面に一体又は別体にて設けられた輪状絶縁カバーと、前記輪状絶縁カバーに一体に突出して形成され前記各突出磁極に対応した位置に形成されると共に、前記輪状ステータの軸方向に沿って延設された突出壁部と、前記突出壁部の内側で前記突出磁極の外周に巻回されたステータ巻線と、前記各突出磁極に対応する後方で、かつ、前記各突出壁部の外面に設けられた複数の段部からなる階段状部と、前記突出壁部の外側に位置し、前記輪状絶縁カバーに一体形成された輪状壁部と、前記各階段状部間に隙間を介して前記輪状絶縁カバーに一体に設けられ前記段部を有する中間用階段状部と、を備え、一方の前記階段状部の各段部に位置する各渡り線は、前記中間用階段状部の各段部を経て他方の前記階段状部に渡るように構成されていることにより、渡り線を案内するための階段状部としては、各磁極の後方の各階段状部の他に、各磁極間に設けられた中間用階段状部が設けられているため、渡り線は、その渡る部分の殆どが段部によって案内されており、渡り線同志の接触を防止し、相間接触を防ぐことができる。
また、前記輪状壁部の高さは、前記各段部のうちの最上段に位置する前記渡り線の外周面と同一であると共に、前記外周面は前記突出壁部の上面よりも下であることにより、最上段の渡り線は、輪状巻線カバーの内面に接触することはなく、レゾルバステータの信頼性を向上させることができる。
【図面の簡単な説明】
【００１４】
【図１】本発明によるレゾルバステータ構造の要部の断面図である。
【図２】図１の要部の拡大断面図である。
【図３】図１のレゾルバステータの斜視図の要部の構成図である。
【図４】従来のレゾルバステータ構造の要部の断面図である。
【図５】図４のレゾルバステータの斜視図の要部の構成図である。
【発明を実施するための形態】
【００１５】
本発明は、各突出磁極の後方及び各突出磁極間に設けられた階段状部の各段部を介して渡り線を取り付けることである。
【実施例】
【００１６】
以下、図面と共に本発明によるレゾルバステータ構造の好適な実施の形態について説明する。
尚、従来例と同一又は同等部分には、同一符号を付して説明する。
図１において、符号１で示されるものは、全体形状が輪状をなし積層された構成からなる輪状ステータであり、前記輪状ステータ１の内径側である内側２には、所定角度間隔で内方に向けて突出する突出磁極３が形成されている。
【００１７】
前記輪状ステータ１の一面１ａと他面１ｂには、一体成形又は別体にて設けられた輪状絶縁カバー４,４ａが形成されている。
前記各輪状絶縁カバー４,４ａには、前記内側２から外側２Ａに向けて、前記輪状ステータ１の軸方向Ａに沿って突出する耳部５、突出壁部６及び輪状壁部７が一体に形成されている。
前記耳部５と突出壁部６との間の内面８には、溝９が形成されており、前記溝９内には、励磁巻線と出力巻線とからなるステータ巻線１０が巻回して設けられている。
【００１８】
前記突出壁部６と輪状壁部７との間には溝部９Ａが形成され、前記各突出壁部６の前記溝部９Ａ側には、複数の段部６ｂを有する階段状部２１が形成されている。
前記各階段状部２１は、図１から図３に明確化されているように、前記各突出磁極３に対応していると共に、その後方に位置している。さらに、前記各階段状部２１は、前記各突出壁部６の外面２２に形成されている。
前記各階段状部２１間には、図３のように、一対の隙間Ｇを介して長手状で弧状をなす中間用階段状部３０が設けられ、前記中間用階段状部３０の長手方向の幅Ｗは、前記各突出磁極３間のスロット１１の幅と同一に構成され、かつ、前記各隙間Ｇの幅よりも大となるように構成されている。
【００１９】
前記各階段状部２１の各段部６ｂのうち、最上段の段部６ｂに位置する渡り線１０ａの外周面１０ｂは、高さＨを有する前記輪状壁部７の上面７ａと同一で、かつ、突出壁部６の上面６ａよりも下となるように構成されている。
従って、前記渡り線１０ａは、前記各上面７ａ及び６ａによって外部からの接触が発生しないように構成されている。
【００２０】
前述の構成において、輪状ステータ１の全周にわたって、図３に示される各突出磁極３、輪状絶縁カバー４、各耳部５、各突出壁部６、各階段状部２１及び各中間用階段状部３０が形成された状態で図示しない自動巻線機を用いて三相のステータ巻線を行う場合について説明する。
図３に示される上側の前記突出磁極３の外周に巻回されたステータ巻線１０の渡り線１０ａは、ニードルによって階段状部２１の段部６ｂ及び隙間Ｇを経て隣接する中間用階段状部３０の段部６ｂに案内され、さらに、図１の下側の隙間Ｇを経て隣接する階段状部２１の段部６ｂに案内された後、図１の下側の突出磁極３の外周に巻回される。
【００２１】
前述のステータ巻線１０の三相のうちの一相の巻回について述べたが、二相及び三相についても同様に巻回され、前記各段部６ｂを用いて巻回することができる。
また、図３においては、前記輪状ステータ１の一部の突出磁極３のみにステータ巻線１０の巻回を行う場合について述べたが、前記輪状ステータ１の全周の各突出磁極３に対して前述と同じようにステータ巻線１０と渡り線１０ａの巻回を行うことができる。
【００２２】
尚、前述の構成において、各突出磁極３間の渡り線１０ａが、一対の階段状部２１及び１個の長手状の中間用階段状部３０の各段部６ｂで案内されると共に、前記渡り線１０ａがそれ自体が宙に浮く状態である各隙間Ｇを渡る距離は、実際にはその輪状ステータ１の径によっても異なるが、わずか数ミリの範囲であるため、各渡り線１０ａ間の相間短絡が発生することはなく、レゾルバの信頼性を大幅に向上させることができる。
【００２３】
尚、本発明によるレゾルバステータ構造の要旨とするところは、以下の通りである。
すなわち、所定角度間隔で内方へ向けて突出する複数の突出磁極３を有する輪状ステータ１と、前記輪状ステータ１の両面１ａ，１ｂに一体又は別体にて設けられた輪状絶縁カバー４，４ａと、前記輪状絶縁カバー４，４ａに一体に突出して形成され前記各突出磁極３に対応した位置に形成されると共に、前記輪状ステータ１の軸方向Ａに沿って延設された突出壁部６と、前記突出壁部６の内側で前記突出磁極３の外周に巻回されたステータ巻線１０と、前記各突出磁極３に対応する後方で、かつ、前記各突出壁部６の外面２２に設けられた複数の段部６ｂからなる階段状部２１と、前記突出壁部６の外側に位置し、前記輪状絶縁カバー４に一体形成された輪状壁部７と、前記各階段状部２１間に隙間Ｇを介して前記輪状絶縁カバー４に一体に設けられ前記段部６ｂを有する中間用階段状部３０と、を備え、一方の前記階段状部２１の各段部６ｂに位置する各渡り線１０ａは、前記中間用階段状部３０の各段部６ｂを経て他方の前記階段状部２１に渡るようにした構成であり、また、前記輪状壁部７の高さＨは、前記各段部６ｂのうちの最上段に位置する前記渡り線１０ａの外周面１０ｂと同一であると共に、前記外周面１０ｂは前記突出壁部６の上面６ａよりも下であるようにした構成である。
【産業上の利用可能性】
【００２４】
本発明によるレゾルバステータ構造は、各突出磁極に対応し、かつ、その後方に設けた階段状部と、前記各階段状部間に隙間を介して長手状の中間用階段状部を設けて渡り線を案内しているため、渡り線の相間短絡を防止し、レゾルバの信頼性を向上させることができる。
【符号の説明】
【００２５】
１    輪状ステータ
１ａ    一面
１ｂ    他面
２    内側（内径側）
２Ａ    外側（外径側）
３    突出磁極
４,４ａ    輪状絶縁カバー
５    耳部
６    突出壁部
６ａ    上面
６ｂ    段部
７    輪状壁部
８    内面
９    溝
１０    ステータ巻線
１０ａ    渡り線
１０ｂ    外周面
２１    階段状部
２２    外面
３０    中間用階段状部
Ａ    軸方向
Ｈ    高さ
Ｇ    隙間
【図１】
2018007379.tif 000003
【図２】
2018007379.tif 000004
【図３】
2018007379.tif 000005
【図４】
2018007379.tif 000006
【図５】
2018007379.tif 000007